(57)【要約】【課題】インシュレータを予め鉄心に装着した状態で巻線しても、鉄心の変形を抑制することができ、ステータの組立精度を確保できるようにする。【解決手段】インシュレータ３は、バックヨーク部２１の中央から内径側に突出した磁極ティース部２２を有する鉄心２と巻回されるコイル４との間に介在し、磁極ティース部２２を覆う部分を有しており、更にインシュレータ３は、コイル４を位置決めするために、鉄心２の内径側および外径側に相当する位置に形成された内径側鍔部３１及び外径側鍔部３２と、磁極ティース部２２の軸方向端面と接する面に形成された溝部３３を備えている。【選択図】図５
2018093597.tif 000002
【特許請求の範囲】
【請求項１】
バックヨーク部の中央から内径側に突出した磁極ティース部を有する鉄心と巻回されるコイルとの間に介在すると共に、上記磁極ティース部を覆う部分を有しているインシュレータであって、
上記コイルを位置決めするために、上記鉄心の内径側および外径側に相当する位置に形成された内径側鍔部及び外径側鍔部と、
上記磁極ティース部の軸方向端面と接する面に形成された溝部を備えたことを特徴とするインシュレータ。
【請求項２】
上記溝部は上記内径側鍔部から上記外径側鍔部に向けて上記内径側が開口するように形成されていることを特徴とする請求項１記載のインシュレータ。
【請求項３】
上記溝部は上記外径側鍔部から上記内径側鍔部に向けて上記外径側が開口するように形成されていることを特徴とする請求項１記載のインシュレータ。
【請求項４】
上記溝部は上記内径側鍔部から上記外径側鍔部まで貫通していることを特徴とする請求項１記載のインシュレータ。
【請求項５】
請求項２記載の上記インシュレータの周囲に上記コイルを巻回させるための巻線装置であって、
上記インシュレータが装着された上記鉄心を固定して回転させる回転部と、
上記溝部に挿入されるインシュレータ支持部及び上記鉄心の内径側を押え付ける鉄心押え部を有するプッシャー部と、
上記回転部の回転中心軸に対して平行移動すると共に上記コイルを案内するノズル部を備えたことを特徴とする巻線装置。
【請求項６】
請求項３記載の上記インシュレータの周囲に上記コイルを巻回させるための巻線装置であって、
上記インシュレータが装着された上記鉄心を固定して回転させると共に上記溝部に挿入されるインシュレータ支持部を有する回転部と、
上記鉄心の内径側を押え付ける鉄心押え部を有するプッシャー部と、
上記回転部の回転中心軸に対して平行移動すると共に上記コイルを案内するノズル部を備えたことを特徴とする巻線装置。
【請求項７】
請求項４記載の上記インシュレータの周囲に上記コイルを巻回させるための巻線装置であって、
上記インシュレータが装着された上記鉄心を固定して回転させると共に上記溝部に挿入される第１のインシュレータ支持部を有する回転部と、
上記溝部に挿入される第２のインシュレータ支持部及び上記鉄心の内径側を押え付ける鉄心押え部を有するプッシャー部と、
上記回転部の回転中心軸に対して平行移動すると共に上記コイルを案内するノズル部を備えたことを特徴とする巻線装置。
【発明の詳細な説明】
【技術分野】
【０００１】
この発明は、モーターのステータにおける鉄心とコイル間を絶縁するインシュレータ及びこのインシュレータの周囲にワイヤを巻回するための巻線装置に関するものである。
【背景技術】
【０００２】
モーターは外郭構造を形成するステータと、外部に回転力を伝達するローターから成る。機器の駆動制御用に用いられるモーターの場合、ローターに永久磁石のＮ極とＳ極が交互に円環状に配置され、ステータの鉄心における複数個の磁極ティースに巻かれたコイルによって回転磁界を発生させることで、ローターを回転させている。ステータの鉄心とコイル間には、電気的に絶縁する目的でインシュレータが配置されている。インシュレータの外側にマグネットワイヤを巻線することによりコイルを形成するが、巻線時のマグネットワイヤの巻線張力がインシュレータに加わることで、インシュレータが変形し、ステータを組立てる工程で隣り合う磁極ティースに巻かれたコイルやインシュレータが相互に干渉して、組立精度が悪化する場合がある。
【０００３】
ステータの内径の真円度は、モーターの回転時におけるトルクの脈動（以下、コギングトルクと呼ぶ）と密接な関係があり、前記の組立精度の悪化に伴い、ステータの内径真円度が悪化すると、モーターのコギングトルクが増加して滑らかな回転を阻害し、モーターの制御性能を悪化させることがある。このような欠点を避けるため、前記の構成部品の干渉を回避する手段として、マグネットワイヤの巻線時の張力を緩める対策が考えられる。しかし巻線張力を緩めると、巻線工程でのマグネットワイヤの位置決め精度が悪化して、コイルの整列性が乱れて占積率を低下させ、モーターが単位体積当たりに発生させることのできるトルクが低下する。
【０００４】
このようなコイルの占積率の低下を避けて、前記の構成部品の干渉を避ける手段として、インシュレータのつば部の平板部の外周部に、外縁に開放する切り欠き状の凹部を形成することにより、インシュレータが相互に干渉しない方向へ変形しやすいようにする構造がある（特許文献１参照）。
この特許文献によると、磁極ティースが位置する方向と逆の方向にインシュレータが変形せず、コイルが樽状に形成されることを防止できるため、コイルの占積率が高くても、隣接するコイル同士の干渉を避けることができ、ステータを組立てることができる。
【先行技術文献】
【特許文献】
【０００５】
【特許文献１】特開２０１４−１５０６１１号公報
【発明の概要】
【発明が解決しようとする課題】
【０００６】
モーターのトルクや回転数によって、比較的線径の太いマグネットワイヤ（例えば、φ１ｍｍ以上）を巻線する必要がある場合、コイルの整列性を確保して巻線するために、マグネットワイヤが太くなるにつれて巻線張力も強めていく必要がある。これはマグネットワイヤ自体に剛性があるため、あらかじめボビンに巻かれて保管され、くせのついたマグネットワイヤに巻線テンションを加えて直線状に伸ばし、巻線工程におけるマグネットワイヤの位置決め精度を向上させるためである。上記特許文献１の技術を太い線径のマグネットワイヤに適用させる場合、巻線張力によるインシュレータの変形のばらつきが大きくなり、変形が過剰となるとコイルとインシュレータの組立品を鉄心の磁極ティースに挿入できなくなることがある。
インシュレータの肉厚を厚くすることで、インシュレータの変形のばらつきを抑制することができるが、上記特許文献１に記載されているように、コイルを配置できる空間が小さくなるめ、コイルの占積率の低下を招き、モーターの出力を下げることになる。
【０００７】
前述の挿入不良を避ける手段として、インシュレータを予め鉄心に装着した後、巻線する方法が有効であるが、巻線張力によりインシュレータを介して鉄心に力が加わり、鉄心の内径側のみを軸方向に圧縮させるような変形が生じることがある。鉄心の内径側と外径側で軸方向の寸法が異なると、鉄心が軸方向において反るような変形をしてしまい、ステータを組立てる過程で円環状に並べた鉄心間にアンバランスな隙間が生じ、ステータの内径真円度が悪化するため、モーターのコギングトルクを増加させ、モーターの制御性能が悪化する。
【０００８】
この発明は上記のような課題を解決するためになされたものであり、インシュレータを予め鉄心に装着した状態で巻線しても、鉄心の変形を抑制することができ、ステータの組立精度を確保できるとともにコイルの占積率の向上も図ることができるようにし、モーターの制御性能を向上させるとともに、モーターの小型化並びに高出力化を図ることを目的とするものである。
【課題を解決するための手段】
【０００９】
この発明に係るインシュレータは、バックヨーク部の中央から内径側に突出した磁極ティース部を有する鉄心と巻回されるコイルとの間に介在すると共に、上記磁極ティース部を覆う部分を有しているものであって、
上記コイルを位置決めするために、上記鉄心の内径側および外径側に相当する位置に形成された内径側鍔部及び外径側鍔部と、上記磁極ティース部の軸方向端面と接する面に形成された溝部を備えたものである。
【００１０】
又この発明に係る巻線装置は、インシュレータの周囲にコイルを巻回させるためのものであって、
上記インシュレータが装着された鉄心を固定して回転させる回転部と、溝部に挿入されるインシュレータ支持部及び鉄心の内径側を押え付ける鉄心押え部を有するプッシャー部と、回転部の回転中心軸に対して平行移動すると共にコイルを案内するノズル部を備えたものである。
【発明の効果】
【００１１】
上記のように構成されたインシュレータによれば、巻線作業後に残留した巻線張力がインシュレータに加わっても、インシュレータが鉄心の軸方向端面に対して傾いたり、インシュレータが鉄心の軸方向に座屈したりする現象を抑制できるため、巻線作業後のコイルの配置のずれを抑制することができる。
【００１２】
上記のように構成された巻線装置によれば、インシュレータにおいて、鉄心の内径側に位置するコイルを支持する鍔部から外径側に向かって設けられた溝に、鉄心に巻線張力が付与されることを抑制するインシュレータ支持部を挿入することができるため、巻線張力による鉄心の圧縮変形を抑制することができる。これによりステータの組立精度を向上させることができ、ステータの内径真円度を確保することができるため、モーターのコギングトルクを抑制することができる。更にはモーターの制御性能を向上させることができる。
【図面の簡単な説明】
【００１３】
【図１】実施の形態１によるモーターにおけるステータを示す斜視図である。
【図２】実施の形態１による１つの鉄心を示す斜視図である。
【図３】実施の形態１によるインシュレータと鉄心を組み立てた状態を示す斜視図である。
【図４】実施の形態１によるインシュレータを示す斜視図である。
【図５】実施の形態１によるインシュレータが鉄心に組み付けられた後、巻線された状態を示す斜視図である。
【図６】実施の形態１によるインシュレータが鉄心に組み付けられ巻線された後、それら複数個を円環状に配置し溶接した状態を示す斜視図である。
【図７】実施の形態１による巻線装置を示す分解斜視図である。
【図８】実施の形態１による巻線装置を示す分解斜視図である。
【図９】実施の形態１による巻線装置を示す分解斜視図であり、巻線装置のプッシャー部が動作した後の状態を示す斜視図である。
【図１０】図９におけるＢ−Ｂ線断面図である。
【図１１】実施の形態１による巻線装置を示す分解斜視図であり、巻線中の状態を示す斜視図である。
【図１２】実施の形態２によるインシュレータを示す斜視図である。
【図１３】実施の形態２による１つの鉄心を示す斜視図である。
【図１４】実施の形態２による巻線装置を示す分解斜視図である。
【図１５】実施の形態３によるインシュレータを示す斜視図である。
【図１６】実施の形態３による巻線装置を示す分解斜視図である。
【発明を実施するための形態】
【００１４】
実施の形態１．
図１は実施の形態１によるモーターにおけるステータを示す斜視図である。尚図示しないが、本実施形態によるモーターは、ステータ１の軸方向の端面（図の上下面）に配置されるベアリングと、そのベアリング用のブラケットによってステータ１に対してローターが支持されるようになっている。ステータ１は、鉄心２、インシュレータ３、コイル４、フレーム５から構成される。図２は１つの鉄心２を示す斜視図であり、このような鉄心２を複数個組合せることで、鉄心全体が円環状に形成される。又鉄心２は複数のコアシート２３を積層することにより形成されるものであり、コアシート２３は外径面が円弧状であって隣り合う鉄心２同士を接続するバックヨーク部２１と、バックヨーク部２１の中央から鉄心２の内径側に突出した磁極ティース部２２より形成される。
【００１５】
バックヨーク部２１には、アリ溝２４が設けられており、絶縁組立工程や巻線工程などにおいて鉄心２を位置決めするために用いられる。図３はインシュレータと鉄心を組み立てた状態を示す斜視図、図４（Ａ）、（Ｂ）はインシュレータを示す見る角度を変えた斜視図である。ステータ１を製造するに当たって、図３に示すように、まず鉄心２の磁極ティース部２２と、バックヨーク部２１の内径側を覆うような形状のインシュレータ３が鉄心２に組み付けられる（以後これを絶縁組立品６と呼ぶ）。次に図５に示すように絶縁組立品６の磁極ティース部２２を覆っているインシュレータ３の箇所に、巻線装置によってマグネットワイヤが巻かれコイル４が形成される（以後これを巻線組立品７と呼ぶ）。
【００１６】
次に図６に示すように、巻線組立品７を所定の数だけ円環状に配置した後、鉄心２の隣り合うバックヨーク部２１が接する箇所を溶接して、溶接部７１を設け、鉄心２相互を固定し、次にモーターの外郭を形成するフレーム５を圧入あるいは焼嵌めることで図１に示すようなステータ１が形成される。
【００１７】
次に巻線工程について図７〜図１１により説明する。図７は巻線装置の詳細を説明するための分解斜視図であり、本実施形態による巻線装置は、絶縁組立品６を固定して回転させる回転部８、絶縁組立品６を回転部８に押し付けるプッシャー部９、マグネットワイヤを案内する巻線ノズル１０１を有するノズル部１０より構成される。回転部８には、図示しない回転用モーターが取り付けられており、回転部８の回転速度、回転開始角度および回転終了角度を制御する。回転部８には、前述の鉄心２のアリ溝２４と嵌合する凸部８１が設けられ、絶縁組立品６の鉄心２のバックヨーク部２１における周方向の位置決めをする。また回転部８の長手方向の端面の一部に端部突起８２が設けられており、この端部突起８２が絶縁組立品６の鉄心２の軸方向端部と接触することで、絶縁組立品６の軸方向の位置決めがなされる。
【００１８】
プッシャー部９は、図示しないベアリングによって回転自由に支持されており、後に示す巻線中の巻線装置が動作している間絶縁組立品６と共に回転部８に従って回転する。またプッシャー部９は、鉄心押え部９１とインシュレータ支持部９２を有する。インシュレータ支持部９２は、鉄心押え部９１の長手方向の両端面に位置する。鉄心押え部９１は、絶縁組立品６の鉄心２の内径側を押えるものであり、鉄心２の内径の曲率と同じ曲率を有する接触曲面９３を持つ。インシュレータ支持部９２は、鉄心押え部９１の接触曲面９３より突出した位置まで伸びている。ノズル部１０は、巻線ノズル１０１が図示しないブラケットを介してボールねじに連結されている。ボールねじは回転部８の回転中心軸Ｘと平行に設置されており、縦走用モーターに連結されている。したがって縦走用モーターの回転運動を制御することで、回転部８の回転中心軸Ｘと平行な軸上で、巻線ノズル１０１の位置や移動速度を制御できる。
【００１９】
次にインシュレータ３の形状の詳細を図４に基づいて説明する。図４（Ａ）、（Ｂ）はインシュレータ３を示す斜視図であり、同一形状のインシュレータ３を異なった角度から見た図である。図３においては、１つの鉄心２に２つのインシュレータ３が上下に配置されている。インシュレータ３は、鉄心２とコイル４を絶縁するものであり、マグネットワイヤが巻回される鉄心２の磁極ティース部２２を覆う部分を有している。またコイル４は多数の層で形成されるので、積み上げたコイル４を所定の範囲に位置決めするために、鉄心２の内径側および外径側に相当する位置にそれぞれ内径側鍔部３１と外径側鍔部３２が形成されている。この内径側鍔部３１と外径側鍔部３２の間にマグネットワイヤが巻回されることで、コイル４が絶縁組立品６に装着される。本実施形態における特徴的な点は、内径側鍔部３１から外径側鍔部３２に向けて溝部３３が形成されていることである。そして溝部３３の内径側は開口している。この溝部３３は鉄心２の軸方向端面と接する面に形成されており、溝部３３の長さは外径側鍔部３２まで達していることが好ましい。
【００２０】
次に図７〜図１１に基づいて巻線工程を工程順に説明し、併せて効果について説明する。先ず第１工程として、図７の矢印Ａに沿って絶縁組立品６における鉄心２のバックヨーク部２１が巻線機の回転部８に接するようにして取付けられる。このとき鉄心２のバックヨーク部２１のアリ溝２４と回転部８の凸部８１が嵌合され、かつ回転部８の端部突起８２に絶縁組立品６の鉄心２の軸方向端部が接触することで、回転部８に対して絶縁組立品６が支持される。図８は絶縁組立品６を回転部８に取り付けた後の状態を示すものである。
【００２１】
続いて、第２工程として、図９に示すように巻線装置のプッシャー部９が絶縁組立品６の鉄心２の内径側を押える。第１工程において、絶縁組立品６が回転部８に対して、僅かな嵌合い隙間がある状態で支持されている。しかしプッシャー部９によって絶縁組立品６が回転部８に強く押し付けられるため、絶縁組立品６が回転部８に対して隙間が完全に無い状態で固定されることとなる。第２工程において、プッシャー部９が絶縁組立品６を押えると同時に、インシュレータ支持部９２は、インシュレータ３に設けられた溝部３３に挿入される。図１０はプッシャー部９が絶縁組立品６を押えた状態を示す巻線装置の断面図であり、図９におけるＢ−Ｂ線断面図である。プッシャー部９のインシュレータ支持部９２が、インシュレータ３の溝部３３に挿入されており、鉄心２がある向きに傾いたような場合その時発生する荷重がインシュレータ３に加わった際、インシュレータ支持部９２がその荷重を支えられる構造となっている。
【００２２】
次に第３工程としての具体的な巻線の過程について図１１に基づいて説明する。まず巻線ノズル１０１からマグネットワイヤ１０２を引き出し、巻線機の回転部８に固定された絶縁組立品６におけるインシュレータ３に設けられたピン３４にマグネットワイヤ１０２を巻き付ける。この場合ピン３４に巻き付ける作業は手動で行ってもよいし、自動で行う場合もある。その後図示しない巻線装置の回転用モーターによって回転部８が矢印Ｃに示すように絶縁組立品６と共に回転し、絶縁組立品６におけるインシュレータ３の内径側鍔部３１と外径側鍔部３２の間に、外径側鍔部３２の付近からマグネットワイヤ１０２を巻き付けていく。回転部８が１回転すると絶縁組立品６上に１ターン目のコイル４が形成される。
【００２３】
その後巻線ノズル１０１がマグネットワイヤ１０２の線径分だけ絶縁組立品６の内径側鍔部３１の方向へ移動し、上記と同様にして２ターン目の巻線を連続的に行う。順次この動作を繰り返すことで、絶縁組立品６のインシュレータ３の外径側鍔部３２から内径側鍔部３１へ向かって１層目のコイル４が形成されていく。図１１は４ターン目を巻線する途中の状態を示した図である。１層目のコイル４がインシュレータ３の内径側鍔部３１まで形成されると、巻線ノズル１０１の移動方向をインシュレータ３の内径側鍔部３１から外径側鍔部３２へ向かう方向に反転させて、２層目の巻線を開始する。１層目の巻線手段と同様に、２層目の１ターン目の巻線が完了すると、巻線ノズル１０１をマグネットワイヤ１０２の線径分だけ絶縁組立品６における外径側鍔部３２へ移動させて２層目の２ターン目を巻線する。
【００２４】
上記の手順を繰り返すことで、絶縁組立品６に所定のターン数分に相当するコイル４を形成する。巻線が完了すると、巻線ノズル１０１付近のマグネットワイヤ１０２を切断し、コイル４の端末となるマグネットワイヤをインシュレータ３の外径側鍔部３２上にあるピン３５に巻き付けて、巻線組立品７を完成させる。巻線の過程において、巻線張力はインシュレータ３に作用し、さらにその力をプッシャー部９のインシュレータ支持部９２が受けることになる。これにより鉄心２に巻線張力が作用することがないため、鉄心２に圧縮変形が生じること無く、巻線作業を完了することができる。そして鉄心２の軸方向の反りをなくすことができるため、複数の巻線組立品７を円環状に配置する際、隣合う鉄心２間にアンバランスな隙間を生じることがなく、内径真円度を確保してステータ１を組立てることができる。
【００２５】
また図４に示すように、溝部３３を設けることによって、内径側鍔部３１から見たインシュレータ３における磁極ティース部２２上にある部分は、コの字状の形をしており、磁極ティース部２２の幅方向の両端で、鉄心２に対してインシュレータ３が接している。このような構造とすることで、プッシャー部９を引き抜いた後に残留した巻線張力がインシュレータ３に加わっても、インシュレータ３が鉄心２の軸方向端面に対して傾いたり、インシュレータ３が鉄心２の軸方向に座屈したりする現象を抑制できるため、プッシャー部９を引き抜いた後のコイル４の配置のずれを抑制することができる。コイル４の配置がずれた場合、巻線組立品７を円環状に組み合わせる際に、隣り合う巻線組立品７のコイル４同士が干渉して、ステータ１の内径真円度を悪化させる場合がある。巻線張力を受ける溝部３３は、本実施形態に示すように磁極ティース部２２の中心線上に設けることが望ましい。このように磁極ティース部２２の中心線上に設けることにより、巻線張力によって傾く方向が一方に偏らず、インシュレータ３をバランスよく傾かせることができる。更には溝部３３の中心線と磁極ティース部２２の中心線とを一致させるようにすることもできる。以上より内径真円度を確保してステータ１を組立てることができるため、モーターのコギングトルクを低減することができ、モーターの制御性能を向上させることができる。
【００２６】
インシュレータ支持部９２は鉄心２の磁極ティース部２２の径方向の長さと同じ長さになるように構成することにより、巻線張力をインシュレータ支持部９２で受ける際、すべての磁極ティース部２２の位置におけるコイル４を巻回する際の巻線張力をインシュレータ支持部９２で受けることができる。しかしインシュレータ３自体に十分な剛性があれば、インシュレータ支持部９２が磁極ティース部２２の径方向の長さよりも短くても、結果的に巻線張力をインシュレータ支持部９２で受けることができる。従ってインシュレータ支持部９２の長さを短くすることができる。これによりインシュレータ３の溝部３３を短くしてインシュレータ３の剛性を向上させることができ、さらにインシュレータ支持部９２の長さを短くすることができる。このようにインシュレータ支持部９２の長さを短くすることによって、巻線装置への絶縁組立品６の取付け作業、並びに巻線後の絶縁組立品６（巻線組立品７）を巻線装置から取り外す作業が容易となる。
【００２７】
尚本発明が解決しようとする課題に記載したような内径側が軸方向に圧縮するような変形が生じてしまう原因は、絶縁組立品６を軸方向から見て鉄心２の内径と外径の中間に位置する径（以下基準径と呼ぶ）を基準とした場合、鉄心２の内径側の磁極ティース部２２に巻線されるとき、鉄心２の内径側のみが圧縮変形するためである。ここで基準径を中心に巻線張力が鉄心２の内径側と外径側に均等に加わる場合、鉄心２の内径側と外径側が均等に圧縮変形するため、鉄心２の軸方向における反りが生じにくく、ステータ１の組立精度を悪化させにくい。そして基準径よりも外径側は内径側に比べて巻線されるときの巻線張力の影響を受けにくく、基準径よりも内径側においてのみインシュレータ支持部９２によって巻線張力を受けるようにしても巻線張力は鉄心２の内径側と外径側に均等に加わる。従って基準径よりも外径側は、インシュレータ支持部９２によって巻線張力を受ける必要が無く、それよりも内径側にインシュレータ支持部９２が存在すればよい。以上より、インシュレータ支持部９２の長さを内径側から基準径に至る長さにまですることができ、前記と同様巻線作業を容易にする効果を得ることができる。
【００２８】
実施の形態２．
図１２（Ａ）、（Ｂ）は実施の形態２によるインシュレータを示す斜視図、図１３は鉄心を示す斜視図である。インシュレータ３の基本的形状は実施の形態１と同様であるが、本実施形態においては、図１２に示すように、インシュレータ３の溝部２００が外径側鍔部３２から内径側鍔部３１へ向けて形成されている。そして溝部２００の外径側は開口している。また実施の形態１においては、鉄心２のバックヨーク部２１にアリ溝２４が設けられていたが、本実施形態では、Ｖ字型溝２５が設けられている。図１４は実施の形態２による巻線装置を示す斜視図である。巻線装置の回転部８側にインシュレータ支持部２０１を設け、プッシャー部９の鉄心押え部２０２を円筒型の形状としている点が、実施の形態１と異なる。尚鉄心押え部２０２の端面形状は実施の形態１と同様、鉄心２の内径寸法と同等の曲率である接触曲面状に形成してもよいし、あるいは平面状に形成してもよい。
【００２９】
本実施形態の場合、回転部８にインシュレータ支持部２０１を設け、プッシャー部９にはインシュレータ支持部は設けられておらず、回転部８に設けたインシュレータ支持部２０１で巻線張力を受けることになる。このように回転部８にインシュレータ支持部２０１を設けたので、絶縁組立品６を回転部８に取り付ける際、実施の形態１と同様図７の矢印Ａに示すように、回転部８の上方向から取り付けるようにすると、絶縁組立品６とインシュレータ支持部２０１が干渉してしまい、取り付けられなくなる。よって絶縁組立品６を回転部８の回転中心軸方向（図１４の矢印Ｅの方向）から取り付けられるように、鉄心２のバックヨーク部２１にはアリ溝の代わりにＶ字型溝２５を設けている。これに伴い回転部８にはＶ字型溝２５と嵌合するＶ字型の形状を有する凸部２０３を設けている。このような構成とすることで、巻線装置の回転部８側の構造は実施の形態１に比べて複雑になるが、プッシャー部９側を単純な形状とすることができる。即ち図１４に示すようにプッシャー部９の鉄心押さえ部２０２を円筒形として回転対称の形状とすれば、絶縁組立品６を巻線装置に取り付ける際、ベアリングによって回転自由に支持されているプッシャー部９の角度位相を絶縁組立品６の角度に合わせる必要が無く、プッシャー部９の周辺の構造を大幅に簡略化できる。
【００３０】
実施の形態３．
図１５（Ａ）、（Ｂ）は実施の形態３によるインシュレータを示す斜視図である。尚鉄心２の形状は実施の形態２と同様である。インシュレータ３の基本的形状は実施の形態２と同様であるが、本実施形態においては、図１５に示すように、インシュレータ３の溝部３００が内径側鍔部３１から外径側鍔部３２まで貫通している。図１６は本実施形態による巻線装置を示す分解斜視図である。本実施形態においては、回転部８側にインシュレータ支持部（第１のインシュレータ支持部）２０１を設けるとともに、プッシャー部９にもインシュレータ支持部（第２のインシュレータ支持部）９２を設けたものである。このような構成とすることで、巻線張力をプッシャー部９のインシュレータ支持部（第２のインシュレータ支持部）９２と回転部８のインシュレータ支持部（第１のインシュレータ支持部）２０１で受けることができる。従って実施の形態１、２の方法によって鉄心２の圧縮変形が抑制できなかった場合に、本実施形態を採用すれば有効となる。
【００３１】
以上の実施の形態１、２、３により、インシュレータ３を予め鉄心２に装着してマグネットワイヤを巻回しても、巻線張力による鉄心２の圧縮変形を抑制でき、ステータ１の組立精度とコイル４の占積率の向上を図ることができ、モーターの制御性能を向上させることができるとともに、モーターの小型化、高出力化を図ることができる。
尚本発明は、その発明の範囲内において、各実施の形態を自由に組み合わせたり、各実施の形態を適宜、変形、省略したりすることが可能である。
【符号の説明】
【００３２】
２  鉄心、３  インシュレータ、４  コイル、８  回転部、９  プッシャー部、
１０  ノズル部、２１  バックヨーク部、２２  磁極ティース部、３１  内径側鍔部、
３２  外径側鍔部、３３，２００，３００  溝部、
９２，２０１  インシュレータ支持部。
【図１】
2018093597.tif 000003
【図２】
2018093597.tif 000004
【図３】
2018093597.tif 000005
【図４】
2018093597.tif 000006
【図５】
2018093597.tif 000007
【図６】
2018093597.tif 000008
【図７】
2018093597.tif 000009
【図８】
2018093597.tif 000010
【図９】
2018093597.tif 000011
【図１０】
2018093597.tif 000012
【図１１】
2018093597.tif 000013
【図１２】
2018093597.tif 000014
【図１３】
2018093597.tif 000015
【図１４】
2018093597.tif 000016
【図１５】
2018093597.tif 000017
【図１６】
2018093597.tif 000018